(57)【要約】【課題】ヒールの下先端に取付けられる補強材の交換作業を簡単にできるヒール構造を提供することを目的とする。【解決手段】ヒールの上部７と下部９とが、略水平な分離面１１で分離される。この分離面１１にて前記上部又は前記下部９の一方に、雄ネジ１３が形成される。他方に雌ネジ１７が形成される。前記下部９は指でしっかりと把持するに十分な長さを有する。よって、指で把持して強いトルクをネジに与えられる。よって素手で交換でき、道具を使う必要が無く、女性などでも簡単に交換作業が可能である。【選択図】図１
0003149479.tif 000002
【実用新案登録請求の範囲】
【請求項１】
履物の高いヒールの下先端に補強材が取付けられているものにおいて、前記ヒールの上部と下部とが分離される略水平な分離面と、この分離面にて前記上部又は前記下部の一方に形成される雄ネジと、他方に形成される雌ネジと、を有し、前記下部は指でしっかりと把持するに十分な長さを有することを特徴とするヒール構造。
【請求項２】
前記ヒールは、ピンヒールであり、前記雄ネジは、先端側に棒状のガイドを有し、前記雌ネジは、奥側に棒状のガイド穴を有し、前記十分な長さは、前記下部を親指、人差指、及び中指でしっかりと把持できる長さであることを特徴とする請求項１に記載のヒール構造。
【考案の詳細な説明】
【技術分野】
【０００１】
この考案は、履物の高いヒールの下先端に取付けられている補強材を交換しやすい構造に関する。
【背景技術】
【０００２】
履物のヒールの下先端には、石突き、トップ、あるいはトリップリフトなどと呼ばれる耐摩耗性を有する補強材が取付けられている。高いヒールの場合には、下先端の設置面積は小さく、その分、補強材の摩耗は激しく、よって交換しやすい構造が求められる。
特許文献１では、補強材を一本のネジで取付ける構造が提案されている。
特許文献２では、補強材の全体がＴ字状の縦断面を有し、全体がネジとなって取付ける構造が提案されている。
【特許文献１】実開平０６−０１３５１０
【特許文献２】特開２００３−３１０３０５
【考案の開示】
【考案が解決しようとする課題】
【０００３】
しかしながら、特許文献１では、補強材の取付のためにはネジ廻しであるドライバーが必要となる。また、特許文献２では、取付のためにはドライバーは必要ではないものの、一般的に補強材の部分は小さすぎて指では持ちにくいので、補強材に強いトルクを与えてしっかりと取付けるためには、何らかの道具が必要である。例えば、補強材の部分にテープなどを巻き付けて、その上からペンチで挟んでトルクを与える必要がある。よって、交換作業が面倒である。
【０００４】
特に、ピンヒールと呼ばれるヒールは、径が細く、下先端の設置面積は特に小さいので、摩耗も速く、このため頻繁に交換する必要がある。また、交換作業は女性などにも簡単にできる必要がある。
この考案は、以上の問題点を解決するために、ヒールの下先端に取付けられる補強材の交換作業を簡単にできるヒール構造を提供することを目的とする。
【課題を解決するための手段】
【０００５】
以上の課題を解決するために、第一考案は、履物の高いヒールの下先端に補強材が取付けられているものにおいて、前記ヒールの上部と下部とが分離される略水平な分離面と、この分離面にて前記上部又は前記下部の一方に形成される雄ネジと、他方に形成される雌ネジと、を有し、前記下部は指でしっかりと把持するに十分な長さを有することを特徴とするヒール構造である。
【０００６】
第二考案は、さらに、前記ヒールは、ピンヒールであり、前記雄ネジは、先端側に棒状のガイドを有し、前記雌ネジは、奥側に棒状のガイド穴を有し、前記十分な長さは、前記下部を親指、人差指、及び中指でしっかりと把持できる長さであることを特徴とするヒール構造である。
【考案の効果】
【０００７】
第一、又は第二考案によれば、補強材とともにヒールの下部が、ネジにより、上部から分離され、また、取付けられて交換がなされる。そして、下部は指でしっかりと把持するに十分な長さを有するものにできるので、指で把持して強いトルクをネジに与えられる。よって素手で交換でき、道具を使う必要が無く、女性などでも簡単に交換作業が可能である。
【０００８】
第二考案によれば、さらに、細いピンヒールであっても、雄ネジの先端側に設けられる棒状のガイドが、雌ネジの奥側に設けられる棒状のガイド穴に、ガイドされ、よって取付け部分の強度を十分なものにできる。また、補強材とヒールの下部を、親指、人差指、及び中指でしっかりと把持でき、より十分なトルクをネジに与えられ、緩みにくい取付け強度が得られる。  
【考案を実施するための最良の形態】
【０００９】
この考案の実施形態を、図１及び図２に示す。
図２（Ａ）に示すように、女性用のサンダル１に形成されるピンヒール３である。ピンヒール３はプラスチック製で、下先端には、ゴム製の補強材５が取付けられている。同図（Ｂ）に示すように、このピンヒール３の上部７と下部９とが、略水平な分離面１１で分離される。
【００１０】
図２に示すように、この分離面１１にて、下部９に、雄ネジ１３が形成される。同図（Ｂ）に示すように、この雄ネジ１３は、先端側に棒状のガイド１５を有する。この雄ネジ１３は、下部９の中心に設けられる図示しない金属製の心棒に連続して形成される。
また、上部７に、雌ネジ１７が形成される。この雌ネジ１７は、奥側に棒状のガイド穴１９を有する。雌ネジ１７とガイド穴１９は、上部７の中心に設けられる金属製の心棒２０に、連続して形成される。
さらに、分離される下部９は、図１（Ａ）又は図２（Ｂ）の点線で示すように、下部９を親指、人差指、及び中指でしっかりと把持できる、十分な長さを有する。この長さは、望ましくは２ｃｍから３ｃｍ以上である。
【００１１】
「実施形態の効果」
この実施形態によれば、補強材５が取付けられたヒールの下部９が、ネジにより、上部７から分離され、また、取付けられる。そのようにして交換がなされる。そして、下部９は指でしっかりと把持するに十分な長さを有するものにできるので、指で把持して強いトルクをネジに与えられ、ネジの締付け、取外しが容易に行える。よって素手で交換でき、道具を使う必要が無く、女性などでも簡単に交換作業が可能である。
【００１２】
特に、ヒールが、とりわけ細いピンヒール３であっても、雄ネジ１３の先端側に設けられる棒状のガイド１５が、雌ネジ１７の奥側に設けられる棒状のガイド穴１９に、ガイドされ、よって取付け部分の強度を十分なものにできる。また、補強材５とヒールの下部９を、親指２１、人差指２３、及び中指２５でしっかりと把持でき、より十分なトルクをネジに与えられ、ネジの螺合が緩みにくく、十分な取付け強度が得られる。
「他の実施形態」
以上の実施形態では、履物は、ミュールなどと呼ばれるサンダルの一種であったが、他の実施形態では、パンプス、他のサンダル、ミュール、ブーツ、靴など他の履物に実施することができる。
【図面の簡単な説明】
【００１３】
【図１】（Ａ）は、この考案の一実施形態に係るピンヒールの要部を示す図、（Ｂ）は、（Ａ）を分離し一部を断面にした図である。
【図２】（Ａ）は、図１のピンヒールを有する女性用のサンダルの全体斜視図、（Ｂ）は、（Ａ）のピンヒール部分の拡大図である。
【符号の説明】
【００１４】
１…サンダル、３…ピンヒール、５…補強材、７…上部、９…下部、１１…分離面、１３…雄ネジ、１５…ガイド、１７…雌ネジ、１９…ガイド穴。
【図１】
0003149479.tif 000003
【図２】
0003149479.tif 000004